(57)【特許請求の範囲】
【請求項１】
遊技盤に沿った所定のルートを通り上端位置から下端位置へ至る落下移動と、前記ルートを前記下端位置から上端位置へと逆方向にたどる復帰移動とが可能な可動体を用いて演出作動を行う遊技機用可動演出装置であって、
前記遊技盤の盤面と交差する方向の移動中心軸を有しその移動中心軸が前記遊技盤に沿って移動可能状態に保持された動滑車と、同方向の固定中心軸を有しその固定中心軸が前記遊技盤に対して固定状態に保持された定滑車とを少なくとも１個ずつ有し、前記可動体の重量が張力として作用するようにこれらの滑車間に巻き回されるとともに一端部が前記遊技盤に対して固定状態であり、他端部が前記可動体に固定された巻掛部材を含む滑車装置と、
前記動滑車の移動中心軸に対し前記張力の作用する方向とは反対側から直接又は他部材を介して間接的に当接し、前記動滑車の張力作用方向への移動を停止する係止姿勢と、前記当接を解除して前記動滑車の張力作用方向への移動を許容する係止解除姿勢とに変位する係止部材と、
前記係止部材を前記係止姿勢と係止解除姿勢とに切り換えるために、前記遊技盤に沿って移動可能状態に保持される移動体に搭載された第一駆動源と、
前記移動体を前記動滑車の移動方向に沿って移動させるために、前記遊技盤に対して固定状態に保持された第二駆動源と、を備え、
前記第一駆動源によって前記係止部材が前記係止姿勢にあるとき、前記動滑車は、前記移動体及び係止部材を介し前記第二駆動源の駆動力によって張力作用方向又は張力反作用方向へ移動可能であり、その際前記可動体は、前記巻掛部材を介し前記動滑車の移動に追随して、前記動滑車の移動量の所定の倍数のストロークにて前記上端位置と下端位置との間を下降移動又は上昇移動する一方、
前記第一駆動源によって前記係止部材が前記係止姿勢から係止解除姿勢に変位したとき、前記可動体の重量が前記張力として作用する前記巻掛部材を介して前記動滑車に直接作用し、前記可動体は、前記第二駆動源の駆動力とは無関係に、前記動滑車の張力作用方向への移動量の所定の倍数のストロークにて前記落下移動を行うことを特徴とする遊技機用可動演出装置。
【請求項２】
前記係止部材が前記係止姿勢にあるとき、前記可動体は、前記第二駆動源の駆動を絶つことにより、前記上端位置、下端位置又はそれらの中間位置において停止可能であり、かつその停止位置を基準とし前記第二駆動源の駆動力によって下降移動及び上昇移動可能である請求項１に記載の遊技機用可動演出装置。
【請求項３】
前記第二駆動源の駆動力は中間伝達機構を介して前記移動体に伝達され、
その中間伝達機構は、前記第二駆動源の駆動ストロークを拡大して前記移動体に伝達するストローク拡大機構を含む請求項１又は２に記載の遊技機用可動演出装置。
【請求項４】
前記ストローク拡大機構は、
前記第二駆動源により張力作用方向又は張力反作用方向に移動される移動中継部材に遊転軸支されたピニオンと、
前記遊技盤に対して固定状態に配置されるとともに、前記ピニオンの一側方に位置して前記ピニオンと噛合う第一ラックと、
前記移動体と一体的に移動可能に配置されるとともに、前記ピニオンの他側方に位置して前記ピニオンと噛合う第二ラックとを有する請求項３に記載の遊技機用可動演出装置。
【請求項５】
前記可動体は長手方向に沿って複数の分割可動体に分割構成されるとともに、前記巻掛部材の他端部は最下端側の分割可動体に固定されている請求項１ないし４のいずれか１項に記載の遊技機用可動演出装置。
【請求項６】
請求項１ないし５のいずれか１項に記載の遊技機用可動演出装置を備えることを特徴とする遊技機。
【発明の詳細な説明】
【技術分野】
【０００１】
本発明は、遊技機用可動演出装置及びそれを備えた遊技機に関する。
【背景技術】
【０００２】
例えばパチンコ機の装飾部材（センター役物）において、演出表示用の可変表示装置の上方に配置された可動体を上方から下方へ落下させるために、欠歯領域を設けた駆動歯車とワイヤを巻き取る従動歯車とを用いた可動演出装置が開示されている（特許文献１参照）。また、可動体から鉛直方向に延び一体的に形成されたラックとそのラックに噛合う欠歯部を設けたピニオンとにより、可動体を落下させる可動演出装置が開示されている（特許文献２参照）。
【０００３】
このような可動演出装置によれば、上方から下方へ落下する演出用可動体により遊技者の関心を惹くことができる。ところが、特許文献１のような可動演出装置ではワイヤを巻取ることでワイヤに巻き癖が生じ、ワイヤが巻取りづらくなりワイヤが外れやすくなる可能性があった。また、特許文献２のような可動演出装置では可動体に隣接してラックが存在しているので演出上目障りになった。さらに、落下量もラックの長さに相当する長さにしか設定できず、落下量を大きくすることは装置の拡大に繋がることになった。
【０００４】
上記のようにこれらの可動演出装置は、可動体を落下させることはできても落下量（移動量）は小さくインパクトに欠け、遊技者の興趣を充分に満たすものではなかった。
【先行技術文献】
【特許文献】
【０００５】
【特許文献１】特開２００９−４５２７１号公報
【特許文献２】特開２００６−１９２１５４号公報
【発明の概要】
【発明が解決しようとする課題】
【０００６】
本発明の課題は、動滑車と定滑車及び動滑車に当接又は当接解除するストッパとを用いることで、演出用可動体の可動領域を向上させるとともに様々な演出を可能にする遊技機用可動演出装置及びそれを備えた遊技機を提供することにある。
【課題を解決するための手段及び発明の効果】
【０００７】
上記課題を解決するために、本発明の遊技機用可動演出装置は、
遊技盤に沿った所定のルートを通り上端位置から下端位置へ至る落下移動と、前記ルートを前記下端位置から上端位置へと逆方向にたどる復帰移動とが可能な可動体を用いて演出作動を行う遊技機用可動演出装置であって、
前記遊技盤の盤面と交差する方向の移動中心軸を有しその移動中心軸が前記遊技盤に沿って移動可能状態に保持された動滑車と、同方向の固定中心軸を有しその固定中心軸が前記遊技盤に対して固定状態に保持された定滑車とを少なくとも１個ずつ有し、前記可動体の重量が張力として作用するようにこれらの滑車間に巻き回されるとともに一端部が前記遊技盤に対して固定状態であり、他端部が前記可動体に固定された巻掛部材を含む滑車装置と、
前記動滑車の移動中心軸に対し前記張力の作用する方向とは反対側から直接又は他部材を介して間接的に当接し、前記動滑車の張力作用方向への移動を停止する係止姿勢と、前記当接を解除して前記動滑車の張力作用方向への移動を許容する係止解除姿勢とに変位する係止部材と、
前記係止部材を前記係止姿勢と係止解除姿勢とに切り換えるために、前記遊技盤に沿って移動可能状態に保持される移動体に搭載された第一駆動源と、
前記移動体を前記動滑車の移動方向に沿って移動させるために、前記遊技盤に対して固定状態に保持された第二駆動源と、を備え、
前記第一駆動源によって前記係止部材が前記係止姿勢にあるとき、前記動滑車は、前記移動体及び係止部材を介し前記第二駆動源の駆動力によって張力作用方向又は張力反作用方向へ移動可能であり、その際前記可動体は、前記巻掛部材を介し前記動滑車の移動に追随して、前記動滑車の移動量の所定の倍数のストロークにて前記上端位置と下端位置との間を下降移動又は上昇移動する一方、
前記第一駆動源によって前記係止部材が前記係止姿勢から係止解除姿勢に変位したとき、前記可動体の重量が前記張力として作用する前記巻掛部材を介して前記動滑車に直接作用し、前記可動体は、前記第二駆動源の駆動力とは無関係に、前記動滑車の張力作用方向への移動量の所定の倍数のストロークにて前記落下移動を行うことを特徴とする。
【０００８】
ここで、動滑車や移動体は横方向に移動する場合もあるが、昇降運動する場合は、
遊技盤に沿った所定のルートを通り上端位置から下端位置へ至る落下移動と、前記ルートを前記下端位置から上端位置へと逆方向にたどる復帰移動とが可能な可動体（例えば３段伸縮式の刀）を用いて演出作動を行う遊技機用可動演出装置であって、
前記遊技盤の盤面と交差する方向の移動中心軸を有しその移動中心軸が前記遊技盤に沿って昇降可能状態に保持された動滑車と、同方向の固定中心軸を有しその固定中心軸が前記遊技盤に対して固定状態に保持された定滑車とを少なくとも１個ずつ（例えば各１個）有し、前記可動体の重量が張力として作用するようにこれらの滑車間に巻き回されるとともに一端部が前記遊技盤に対して固定状態であり、他端部が前記可動体に固定された巻掛部材（例えばワイヤ）を含む滑車装置と、
前記動滑車の移動中心軸に対し上方から直接又は他部材（例えば移動中心軸の保持枠）を介して間接的に当接し、前記動滑車の上昇移動を停止する係止姿勢と、前記当接を解除して前記動滑車の上昇移動を許容する係止解除姿勢とに変位する係止部材（例えばストッパ）と、
前記係止部材を前記係止姿勢と係止解除姿勢とに切り換えるために、前記遊技盤に沿って昇降可能状態に保持される移動体に搭載された第一駆動源（例えば電動モータ）と、
前記移動体を前記動滑車の移動方向に沿って昇降移動させるために、前記遊技盤に対して固定状態に保持された第二駆動源（例えば電動モータ）と、を備え、
前記第一駆動源によって前記係止部材が前記係止姿勢にあるとき、前記動滑車は、前記移動体及び係止部材を介し前記第二駆動源の駆動力によって上昇移動又は下降移動可能であり、その際前記可動体は、前記巻掛部材を介し前記動滑車の移動に追随して、前記動滑車の昇降移動量の所定の倍数（例えば２倍）のストロークにて前記上端位置と下端位置との間を下降移動又は上昇移動する一方、
前記第一駆動源によって前記係止部材が前記係止姿勢から係止解除姿勢に変位したとき、前記可動体の重量が前記張力として作用する前記巻掛部材を介して前記動滑車に直接作用し、前記可動体は、前記第二駆動源の駆動力とは無関係に、前記動滑車の上昇移動量の所定の倍数（例えば２倍）のストロークにて前記落下移動を行うこともできる。
【０００９】
可動体は下端位置への落下移動と上端位置への復帰移動に加えて、上端位置と下端位置との間での昇降移動も可能であり、しかもそのいずれの移動態様においても動滑車の移動量の整数倍のストロークを有するので、斬新（ユニーク性）かつ躍動感（ダイナミック性）に富んだ演出作動を行うことができる。
【００１０】
また、滑車装置と係止部材を用いることで、従来のような巻取りによるワイヤの巻き癖を発生させずに、コンパクトでありながらも可動体の落下幅を向上させることができる。
【００１１】
また、動滑車、定滑車は軸と滑車自体を別成形しても良いし、一体成形しても良い。さらに、滑車と巻掛部材とが接する部分が充分に滑りやすいなら、滑車は回転不能となっていても良い。
【００１２】
巻掛部材としては、糸、紐、綱、ワイヤ、ロープ、ワイヤロープ、ピアノ線、チェン、ベルト、ゴム等を利用できる。
【００１３】
なお、第一、第二駆動源には、ロータリアクチュエータ（例えばステッピングモータ）を用いることができる。ここで、第一駆動源にはロータリソレノイドを用いることも可能である。
【００１４】
また、前記係止部材が前記係止姿勢にあるとき、前記可動体は、前記第二駆動源の駆動を絶つことにより、前記上端位置、下端位置又はそれらの中間位置において停止可能であり、かつその停止位置を基準とし前記第二駆動源の駆動力によって下降移動及び上昇移動可能である。
【００１５】
このように、停止位置を基準として微小昇降移動を行う等、可動体にさらなる演出作動態様を付加することもでき、遊技者の興趣をさらに高めることができる。
【００１６】
また、前記第二駆動源の駆動力は中間伝達機構を介して前記移動体に伝達され、
その中間伝達機構は、前記第二駆動源の駆動ストロークを拡大して前記移動体に伝達するストローク拡大機構を含む。
【００１７】
このように、動滑車の移動量（例えば上昇移動量）ひいては可動体の落下量に対し、移動体（係止部材）の移動ストロークを近づけることにより、可動体の復帰移動を迅速化できる。よって、動滑車の移動量を大きく設定でき、可動体の移動量（例えば動滑車の移動量の２倍）も大きくできる。
【００１８】
具体的には、前記ストローク拡大機構は、
前記第二駆動源により張力作用方向又は張力反作用方向に移動（例えば上昇移動又は下降移動）される移動中継部材（例えば昇降部材）に遊転軸支されたピニオンと、
前記遊技盤に対して固定状態に配置されるとともに、前記ピニオンの一側方（例えば左側方）に位置して前記ピニオンと噛合う第一ラックと、
前記移動体と一体的に移動可能（例えば昇降可能）に配置されるとともに、前記ピニオンの他側方（例えば右側方）に位置して前記ピニオンと噛合う第二ラックとを有する。
【００１９】
このように、動滑車の移動量が大きくても簡易でコンパクトな構造によって可動体の復帰移動を迅速化できる。
【００２０】
ここで、ラックとピニオンの組み合わせとして例えば、
（１）ラックとピニオンを用いた機構；
（２）ピンラックとピニオンを用いた機構；
（３）ラックとピン歯車を用いた機構；
等を実施できる。
【００２１】
また、ピニオンには奇数個の歯車の組合せによるピニオン歯車列を含む。
【００２２】
また、前記移動中継部材は、前記第二駆動源のピニオン（モータピニオン）と前記昇降部材自身に形成された第三ラックとを含む。
【００２３】
また、前記移動中継部材は、前記第二駆動源に回転可能に連結されたクランクと、前記ピニオン及び前記クランクに連結されたロッドとを含む。
このような移動中継部材を上記ストローク拡大機構に用いたものが、芦葉清三郎著、「機械運動機構」（第１版２２刷発行、技報堂出版株式会社、１９８４年７月、ｐ２３）に記載されている。
【００２４】
また、前記可動体は長手方向に沿って複数の分割可動体に分割構成されるとともに、前記巻掛部材の他端部は最下端側の分割可動体に固定されている構成とすることができる。
【００２５】
このように、簡易な構造によって可動体の演出作動が一層迫力あるものにできる。また、分割可動体は上端位置において重なり合うので、分割可動体をコンパクトに配置することができる。特に、分割可動体が液晶表示部の前方に重なって設けられる場合には、表示領域が狭くなることを防止することができる。
【００２６】
そして、上記の課題を解決するために、本発明の遊技機は、
以上で述べた遊技機用可動演出装置を備えることを特徴とする。
【００２７】
このように、動滑車と動滑車に当接又は当接解除するストッパとを用いることで、演出用可動体の可動領域を向上させるとともに様々な演出を可能にし、遊技者の興趣が飛躍的に向上する遊技機を提供できる。
【００２８】
なお、「遊技機」には、パチンコ機、アレンジパチ機等の弾球遊技機や、スロットマシン、パチスロ機等の回胴式遊技機等が含まれる。
【図面の簡単な説明】
【００２９】
【図１】本発明に係る可動演出装置を備えたパチンコ機を例示する正面図。
【図２】可動演出装置の全体構造を示す正面図。
【図３】可動演出装置の切断位置を示す正面図。
【図４】滑車装置を示す分解斜視図。
【図５】係止姿勢、係止解除姿勢における図３のＡ−Ａ断面図。
【図６】移動体を示す分解斜視図。
【図７】ストローク拡大機構を示す分解斜視図。
【図８】分割可動体を示す分解斜視図。
【図９】図３のＢ−Ｂ断面図。
【図１０】動滑車初期位置（係止姿勢）における可動演出装置の斜視図。
【図１１】動滑車初期位置（係止解除姿勢）における可動演出装置の斜視図。
【図１２】動滑車最終位置（係止解除姿勢）、移動体下方における可動演出装置の斜視図。
【図１３】動滑車最終位置（係止解除姿勢）、移動体上方における可動演出装置の斜視図。
【図１４】動滑車最終位置（係止姿勢）、移動体上方における可動演出装置の斜視図。
【図１５】動滑車中間位置（係止姿勢）における可動演出装置の斜視図。
【図１６】移動体下方におけるストローク拡大機構を示す正面図。
【図１７】移動体中央におけるストローク拡大機構を示す正面図。
【図１８】移動体上方におけるストローク拡大機構を示す正面図。
【図１９】移動体下方におけるストローク拡大機構を示す背面図。
【図２０】第一可動体下降時を表す可動演出装置の正面図。
【図２１】第二可動体下降時を表す可動演出装置の正面図。
【図２２】第三可動体下降時を表す可動演出装置の正面図。
【図２３】図２２における可動体を示す背面図。
【図２４】可動体が上端から下端に移動する時の様子を示す図３のＣ−Ｃ断面図。
【発明を実施するための形態】
【００３０】
（実施例１）
以下、本発明の実施の形態を図面を参照しつつ説明する。図１は本発明に係る遊技機用可動演出装置（以下、単に可動演出装置ともいう）を備えたパチンコ機を例示する正面図である。パチンコ機１（遊技機）の遊技盤２の盤面（前面）には、ほぼ左半周が内外２本のガイドレール２ｂによって区画され、全体として円形の遊技領域２ａが形成されている。遊技盤２の後方には、盤裏フレーム（盤裏カバー）（図示せず）が固定されており、この盤裏フレームに可動演出装置５が搭載されている。さらに、盤裏フレームの後方には、遊技領域２ａの中央において、遊技盤２上での遊技状態の変化に応じた演出表示を行う液晶表示部３（可変表示手段）が配置されている。そして、可動演出装置５は、液晶表示部３の上方に装飾部として配置され、遊技盤２の前面の装飾部とともにセンター役物１００として機能している。また、液晶表示部３の下方（遊技領域２ａの中央下部）に大入賞口６（アタッカー）が配置されており、液晶表示部３と大入賞口６との間には、電動チューリップ（電チュー）にて構成される始動口７が配置されている。
【００３１】
なお、本明細書において、上下方向とは遊技盤２の盤面に沿う形で遊技球が流下する方向（例えば、鉛直方向）を意味する。また、左右方向とは遊技盤２の盤面に沿う形で上下方向と交差する方向（例えば、水平方向）を意味し、遊技者側からみて左側、右側をいう。さらに、前後方向とは遊技盤２と交差（例えば、直交）する方向を意味し、遊技者に対面する側（手前側）が前面側（前方側）であり、その反対側（奥側）が後面側（後方側）となる。
【００３２】
図２は可動演出装置の全体構造を示す正面図、図３は可動演出装置の切断位置を示す正面図、図４は滑車装置を示す分解斜視図、図５は係止姿勢、係止解除姿勢における図３のＡ−Ａ断面図、図６は移動体を示す分解斜視図、図７はストローク拡大機構を示す分解斜視図、図８は分割可動体を示す分解斜視図、図９は図３のＢ−Ｂ断面図である。
【００３３】
最初に、可動演出装置５の全体構成を図２〜図４を用いて説明する。固定フレーム２０が下方部から上方部にかけて上下方向に延び、さらに上方において右側に突出部を設けるように形成されている。可動体（分割可動体）３０は、その突出部において右斜め下方に移動可能に連結されており、固定フレーム２０の下方部には第二モータ（第二駆動源）１２０が固定されている。また、第一モータ（第一駆動源）１１０が搭載された移動体４０は、初期位置において固定フレーム２０の中央部に配置されており、本体から左側にストッパ（係止部材）４１が延びている。なお、固定フレーム２０の前面には、上下に延びる長孔部１４ａが形成され、上方に円形の丸孔部１４ｂが形成された誘導カバー１４が固定されている。
【００３４】
また、固定フレーム２０の上部には可動体用フォトセンサ７１が、移動体４０の近傍にはストッパ用フォトセンサ７２が、固定フレーム２０の下部には移動体用フォトセンサ７３がそれぞれ配置されている（図３、図１０参照）。
【００３５】
固定フレーム２０には、上下に延びる長孔状のガイド孔２１が形成され、そのガイド孔２１に沿って上下に移動可能に動滑車１１を誘導する一対の誘導部材１５，１５が配置されている。各誘導部材１５は、動滑車用ガイド孔２１を前後から挟み込むように連結されている。前側の誘導部材１５の前方には、動滑車１１に形成された貫通孔１１ａに挿通されるピン１６ｂが固定されている。ピン１６ｂの前方はキャップ１６ａにより固定され、キャップ１６ａとピン１６ｂが動滑車支持軸（移動中心軸）１６として機能している。ここで、動滑車１１は動滑車支持軸１６の移動中心軸線Ｏ１を回転中心として回転可能に軸支されている（図４参照）。
【００３６】
また、固定フレーム２０の上部には定滑車１２が配置されている。定滑車１２には、固定中心軸線Ｏ２周りに貫通孔１２ａが形成され。この貫通孔１２ａには、固定フレーム２０に固定されたピン１７ｂが挿通されている。また、定滑車１２の前面はキャップ１７ａにより固定されていて、キャップ１７ａとピン１７ｂが定滑車支持軸（固定中心軸）として機能している。ここで、定滑車１２は定滑車支持軸１７の固定中心軸線Ｏ２を回転中心として回転可能に軸支されている（図４参照）。
【００３７】
これら動滑車１１の溝部１１ｂと定滑車１２の溝部１２ｂとにワイヤ（巻掛部材）１３が摺接されるように配置されている。ここで、ワイヤ１３の一端は固定フレーム２０の上方に形成された突起に留め具１３ａを介して固定され、下方に位置する動滑車１１の溝部１１ｂに掛けられ、さらに、上方の定滑車１２の溝部１２ｂに掛けられた後、右斜め下に方向転換し、可動体３０を構成する第三分割体可動体３３の先端にて固定部材３８と留め具１３ｂにより固定されている（図２、図４、図８参照）。
【００３８】
また、上述したように動滑車１１の前方には誘導カバー１４が配置されるが、動滑車支持軸１６は誘導カバー１４の長孔部１４ａを上下にスライド可能である。また、誘導カバー１４の上方の丸孔部１４ｂは、定滑車支持軸１７が挿通するように配置されている（図３、図４参照）。
【００３９】
図５、図６に示すように、移動体４０は第一モータ１１０の回転軸が切欠ギヤ４２と結合されており、その切欠ギヤ４２のギヤ部とストッパ４１のギヤ部が噛合状態にて配置されている。ストッパ４１及び切欠ギヤ４２はケース体４３に覆われ、その状態でケース体４３は側方に鋸歯部６２ａを有した第二ラック６２と連結されている。さらに、移動体４０は固定フレーム２０に固定される移動体用レール２３の前面に配置され、第二ラック６２は移動体用レール２３に沿って昇降する移動体４０と一体的に移動する。
【００４０】
また、ケース体４３にはストッパ用フォトセンサ７２が取付けられており、切欠ギヤ４２から側方へ突出し下方へ折れ曲がるように形成された検知部４２ａを検知するようになっている。さらに、移動体用フォトセンサ７３により、第二ラック６２の下方から突出する検知部６２ｂが検知される。
【００４１】
次に、移動体４０を上昇又は下降させるストローク拡大機構（中間伝達機構）２００の構成について説明する。第二モータ１２０の回転軸にモータピニオン５１が固定フレーム２０を挟んで連結されている。さらに、モータピニオン５１は、板状の昇降部材（移動中継部材）５０に形成された第三ラック（鋸歯部）５０ａと噛合状態に配置される（図７、図１６参照）。
【００４２】
ここで、昇降部材５０の上方に設けられた支持軸５０ｂにはピニオン５２が回転可能に配置されている。また、昇降部材５０の後方には、上下に長孔状のガイド孔２２ａを有した背面カバー２２が配置されている。さらに、このガイド孔２２ａを前後から挟み込むように誘導部材６４が設けられ、昇降部材５０の後方に形成された突起と誘導部材６４とが連結されている。そして、これら昇降部材５０、ピニオン５２、及び誘導部材６４が一体的に上下方向に移動する（図７参照）。
【００４３】
さらに、ピニオン５２の左方側は、固定フレーム２０（ひいては遊技盤２）に固定される第一ラック６１の鋸歯部６１ａと、ピニオン５２の右方側は、移動体４０と一体的に移動する第二ラック６２の鋸歯部６２ａと、それぞれ噛合状態で配置されている（図２、図１６参照）。
【００４４】
次に可動体３０（例えば刀状）の構成について説明する。固定フレーム２０には第一スライド部材３４の背面が固定され、第一スライド部材３４の前面は第一分割可動体３１（例えば柄状）の後方カバー３１ｂの背部と固定されている。さらに、後方カバー３１ｂの前面には第二スライド部材３５の背面が固定されており、第二スライド部材３５の前面は第三分割可動体３３（例えば刀身状）の背面にて固定されている（図８、図９参照）。
【００４５】
ここで、後方カバー３１ｂと連結され、第二分割可動体３２及び第三分割可動体３３を覆うように配置される前方カバー３１ａには、可動体用フォトセンサ７１により位置を検知するための検知部３１ｃが突出形成されている。
【００４６】
また、後方カバー３１ｂには長手方向における上側に長孔が形成されており、この長孔を前後から挟み込むように誘導部材３６が配置されている（図２３参照）。そして、長孔をスライド可能に配置された誘導部材３６の前面は第二分割可動体３２（例えばはばき状）の背面に固定されている。また、第二分割可動体３２の長手方向下側には突起部３２ａが形成されている。この突起部３２ａと後方カバー３１ｂの下側に連結される凹部を有した長細い棒状の摺動部材３７とが摺動可能に配置される。さらに、第二分割可動体３２には、内側に向けて２本のリブ部３２ｃが突出形成されている。このリブ部３２と当接するように、第三分割可動体３３の側面に突起部３３ｂが形成されている。
【００４７】
また、ワイヤ１３の先端に固定された留め具１３ｂは、固定部材３８に形成された切欠部より大となる形状に形成されているので、ワイヤ１３から外れることなく第三分割可動体３３に固定部材３８を介して配置されている。
【００４８】
以上に説明した滑車装置１０の作動について図１０〜図１５を参照して説明する。
【００４９】
＜初期位置にてストッパーの規制を解除する場合＞
初期位置において動滑車１１はストッパ４１により動滑車支持軸１６を支えられている。このため動滑車１１は、初期位置からは移動不能とされ、動滑車用ガイド孔２１の下方位置に停止している（係止姿勢）（図１０参照）。
【００５０】
第一モータ１１０が駆動することにより切欠ギヤ４２が右回りに回転し（図５、図６参照）、その回転によりストッパ４１がストッパ回転軸線Ｏ３周りに左回りに回転する。よって、ストッパ４１は前方へ移動することとなり、初期位置からストッパ４１が外される（係止解除姿勢）（図１１参照）。すると、動滑車１１は可動体３０の自重により下方から上方へ一気に上昇する。そして、可動体３０は急激な速さで上端位置から下端位置へ右斜め下（長手方向右側）に移動を開始する（図１２参照）。
【００５１】
初期位置から最終位置に移動する際、動滑車１１は誘導部材１５により動滑車用ガイド孔２１に沿って上方まで移動することとなる。また、その際に動滑車１１は、移動中心軸線Ｏ１を中心に回転しながら上昇するので、ワイヤ１３の摩擦による消耗を防ぐことができる。そして、誘導部材１５の上端部が動滑車用ガイド孔２１の上部と接することにより移動を停止する。このとき、動滑車１１の２倍の距離を移動していた可動体３０も下端位置において移動を停止する（図４、図１２参照）。
【００５２】
このように動滑車１１と定滑車１２を用いた構造により、例えば動滑車１１の移動中心Ｏ１が上方にＬだけ移動すると、可動体３０は長手方向に２Ｌだけ移動し（例えば留め具１３ｂの長手方向移動距離）、可動領域が大幅に向上する（図２２参照）。
【００５３】
ここで、動滑車１１は誘導部材１５が動滑車用ガイド孔２１に沿って移動することにより移動の際生じる前後左右への揺れ（ブレ）が軽減される。また、動滑車支持軸１６が誘導カバー１４に形成された長孔部１４ａにより誘導されることで動滑車１１は、前方においても左右への揺れが軽減される（図４参照）。このように、動滑車１１は安定して上方へ移動することとなる。
【００５４】
また、誘導カバー１４の丸孔部１４ｂに定滑車支持軸１７が挿通されることで、定滑車１２は固定中心軸線Ｏ２を中心に安定した回転が可能である（図４参照）。さらに動滑車１１と同様、回転することでワイヤ１３の摩擦による消耗を防ぐことができる。
【００５５】
＜最終位置にてストッパを規制する場合＞
上記のように誘導部材１５が動滑車用ガイド孔２１の上部に当接すると、移動体４０は動滑車支持軸１６からストッパ４１が解除された状態、つまり、ストッパ中心軸線Ｏ３に対して手前方向にストッパ４１が回転した状態のまま上方へ移動を開始する。その際、移動体４０は固定フレーム２０に設置された移動体用レール２３に沿って移動を行う（移動体４０の動作については、後述する）。
【００５６】
上方へ移動した移動体４０は、動滑車支持軸１６を超えた後、移動を停止する。ここで、ストッパ４１は動滑車支持軸１６より前方へ回転しているので、ストッパ４１が動滑車支持軸１６と接することは無い（図１３参照）。
【００５７】
次に、移動体４０の上方の停止位置において、ストッパ４１がストッパ中心軸線Ｏ３を中心に前方から後方へ向けて右回りに回転する。そして、動滑車支持軸１６とストッパ４１とが上下に重なる位置においてストッパ４１が停止する（図１４参照）。
【００５８】
次に、移動体４０は下方へ向けて向けて移動を開始する。この時、ストッパ４１は最初に動滑車支持軸１６に当接し、係止姿勢のまま下方へ移動することとなる。移動体４０が下方へ移動する際、ストッパ４１には可動体３０を下端位置から上端位置へと移動させる力が加わることとなるが、動滑車１１を使用することでその力を半減させることができる（図１５参照）。
【００５９】
また、落下時と同様滑車装置１０により動滑車１１の移動中心軸線Ｏ１が上方から下方にＬだけ下降すると可動体３０は長手方向に２Ｌだけ移動する（図２２参照）。
【００６０】
＜ストッパを規制状態で移動する場合＞
ストッパ４１を規制した状態で動滑車１１が移動する場合について説明する。ストッパ４１を係止姿勢のまま初期位置から最終位置まで移動するとき可動体３０の落下スピードは、緩やかなものとなる。ただし、滑車装置１０の作用により、移動中心軸線Ｏ１がＬだけ移動したときに可動体３０が長手方向に２Ｌだけ移動することには変わりない（図１０、図１５、図１４参照）。
【００６１】
また、ストッパ４１を係止姿勢のまま移動の途中で第二モータ１２０を停止し、移動体４０の移動を中断させることもできる。このように、移動体４０を移動の途中で停止すると、ストッパ４１が係止姿勢に保たれているので動滑車１１も停止することとなる。よって、可動体３０を様々な位置で停止し、状態を変化させることができる（可動体３０の状態変化については、後述する段落を参照）。
【００６２】
さらに、ストッパ４１を係止姿勢のまま第二モータ１２０の駆動を再開させ、移動体４０を上昇又は下降させることもできる。つまり、動滑車１１は移動途中の停止位置において昇降移動可能である。よって、動滑車１１を下方で微小昇降移動させることで、可動体３０を上方位置で微小昇降移動させることも可能である。
【００６３】
また、動滑車１１の移動を途中で停止した状態において第一モータ１１０を駆動させることでストッパ４１を係止解除姿勢とし、その場所から一気に可動体３０を落下させることもできる。
【００６４】
また、上記動きを組合わせて動滑車１１を動滑車用ガイド孔２１の中央付近で停止させ、微小昇降移動を繰り返した後、ストッパ４１を係止解除姿勢とし、その位置から一気に上昇させることで、可動体３０は中間位置で落下を停止し、微小昇降移動を繰り返した後でその場から落下するという動きに設定することもできる。さらに微小昇降移動を繰り返した後、動滑車１１を初期位置に戻すことで、可動体３０を上方位置へ移動させることも可能である。このような動きは、動滑車が下方位置にあるときも同様に実行できる。
【００６５】
このように、可動体３０は下端位置への急激な落下移動及び上端位置への復帰移動に加えて、上端位置と下端位置との間での昇降移動も可能であり、しかもそのいずれの移動態様においても動滑車１１の移動量の２倍のストロークを有するので、斬新（ユニーク性）かつ躍動感（ダイナミック性）に富んだ演出作動を行うことができる。
【００６６】
さらに、ストッパ４１が係止姿勢に保たれることで、動滑車１１の停止位置を基準として動滑車１１を微小昇降移動させ、可動体３０に微小昇降移動を行う等、可動体３０にさらなる演出作動態様を付加することもでき、遊技者の興趣を高めることができる。
【００６７】
このように、動滑車１１と定滑車１２を用いることで可動体３０は今までに見たことのないようなスピードで落下し、その可動領域も液晶表示部３の上から下までと非常に大きなものとすることができる。
【００６８】
また、ストッパ４１により動滑車１１は初期位置と最終位置との間での移動を確実に行うことができ、限られたスペース内で様々な演出が可能である。さらに、従来のような巻取りによるワイヤ１３の巻き癖も発生しない。
【００６９】
ここで、上記に示した２倍のストロークのもの以外にも滑車装置１０は、動滑車１１と定滑車１２の組み合わせにより、動滑車１１の移動量の整数倍のストロークで可動体３０を長手方向に昇降移動させることができ、可動領域をより大きくすることも可能である。
【００７０】
また、動滑車１１、定滑車１２は軸と滑車自体を別成形しても良いし、一体成形しても良い。さらに、各滑車１１，１２とワイヤ１３とが接する部分が充分に滑りやすいなら、各滑車１１，１２は回転不能となっていても良い。
【００７１】
次に、ストローク拡大機構（中間伝達機構２００）の作動について図１６〜図１９を参照し、詳細に説明する。
【００７２】
＜移動体が上昇する場合（図１６、図１７、図１８参照）＞
第二モータ１２０が駆動するとその回転軸に取付けられたモータピニオン５１が左回りに回転する。すると、モータピニオン５１と噛合状態にある第三ラック５０ａが形成された昇降部材５０が上昇する。この時の移動距離を第一ストロークとすると、昇降部材５０に回転可能に取付けられているピニオン５２は左回りに回転しながら同様に第一ストローク分だけ上昇する。
【００７３】
すなわち、ピニオン５２と左側で噛合状態にある第一ラック６１上をピニオン５２が移動（上昇）し、この時の移動距離が第一ストロークである。ピニオン５２と右側で噛合状態にある第二ラック６２は、回転・上昇するピニオン５２に対してさらに第二ストローク分だけ上昇することとなる。よって、移動体４０は第一ストロークに拡大分である第二ストロークを加えた第三ストローク分だけ上昇することとなる。
【００７４】
＜移動体が下降する場合（図１８、図１７、図１６参照）＞
第二モータ１２０が駆動するとその回転軸に取付けられたモータピニオン５１が右回りに回転する。すると、モータピニオン５１と噛合状態にある第三ラック５０ａが形成された昇降部材５０が下降する。この時の移動距離を第一ストロークとすると、昇降部材５０に回転可能に取付けられているピニオン５２は右回りに回転しながら同様に第一ストローク分だけ下降する。
【００７５】
すなわち、ピニオン５２と左側で噛合状態にある第一ラック６１上をピニオン５２が移動（下降）し、この時の移動距離が第一ストロークである。ピニオン５２と右側で噛合状態にある第二ラック６２は、回転・下降するピニオン５２に対してさらに第二ストローク分だけ下降することとなる。よって、移動体４０は第一ストロークに拡大分である第二ストロークを加えた第三ストローク分だけ下降することとなる。
【００７６】
このようにストローク拡大機構２００を用いることで、移動体４０はコンパクトなスペースにおいて昇降幅が拡大する。つまり、移動体４０を短時間で上昇又は下降させることが可能となり、動滑車１１の昇降移動を迅速化できる。よって、可動体３０の復帰移動を迅速化することに繋がる。
【００７７】
ここで、昇降部材５０は、背面カバー２２に設けられたガイド孔２２ａに沿って誘導部材６４が移動するので（図７参照）、安定した昇降移動が可能である（図１９参照）。また、移動体４０は、固定フレーム２０に設置された移動体用レール２３に沿って移動するので同様に安定した昇降移動が可能となる（図２参照）。
【００７８】
次に、第一分割可動体３１、第二分割可動体３２及び第三分割可動体３３により構成される可動体（分割可動体）３０の作動について図３及び図２１〜図２４を参照し、詳細に説明する。
【００７９】
＜可動体が下降（伸長）する場合（図３、図２０、図２１、図２２、図２３、図２４参照）＞
ワイヤ１３の先端が固定された第三分割可動体３３に第一、第二分割可動体３１、３２が追従する形態で移動を開始する。つまり、動滑車１１が上昇すると第一スライド部材３４に連結された第一分割可動体３１が下降する（第二、第三分割可動体３２，３３も追従して下降）。そして、第一スライド部材３４のストッパ位置で第一分割可動体３１は停止し、次に第二分割可動体３２が下降を開始する（第三分割可動体３３も追従して下降）。第二分割可動体３２は、長手方向の上方を誘導部材３６により誘導され（図８参照）、下方を摺動部材３７と突起部３２ａが摺動することで安定してスライド移動が可能となっている。さらに、誘導部材３６が後方カバー３１ｂの長孔の下方先端に接すると第二分割可動体３２は移動を停止する（図８参照）。そして、第二スライド部材３５と連結された第三分割可動体３３が下降を始める。第三分割可動体３３は、第二分割可動体３２に形成されたリブ部３２ｃと第三分割可動体３３に形成された突起部３３ｂが当接することで移動を停止する。リブ部３２ｃは、第三分割可動体３３のみを支えるので樹脂成形であっても充分に耐え得ることができる。また、第三分割可動体３３は、第二スライド部材３５のストッパ位置で停止するようにすることもできる。
【００８０】
＜可動体が（短縮）上昇する場合（図２２、図２１、図２０、図３、図２３、図２４参照）＞
動滑車１１の下降に伴い、第三分割可動体３３が引き上げられ当接部３３ａが第二分割可動体３２の当接部３２ｂと接することで第三分割可動体３３は第二分割可動体３２とともに上方へ引き上げられる。さらに、動滑車１１が下降すると第二分割可動体３２の当接部３２ｂが第一分割可動体３１の当接部３１ｄと接する。そして、第一分割可動体３１は第二分割可動体３２及び第三分割可動体３３とともに上方へ引き上げられる。動滑車１１がさらに下降し、移動体用フォトセンサ７３が移動体４０下方の検知部６２ｂを検知すると第二モータ１２０が駆動を停止する。よって、動滑車１１も停止し、それに合わせ可動体３０も上端位置で停止する。このとき、可動体用フォトセンサ７１が検知部３１ｃを検知し、規定位置に達しているかを確認する。よって、万が一不具合が起こり可動体３０が上端位置に来ない場合でもエラー検知をすることができる。
【００８１】
このように、三分割する可動体３０を用いることで、簡易な構造にも関わらず可動体３０の演出動作を一層迫力あるものとすることができる。
【００８２】
ここで、可動体３０は分割せずに一つにすることや分割数を増やすこともでき、適宜変更が可能である。このように分割数を変更させることで、様々な演出効果が期待できる。
【００８３】
次に、可動演出装置５に設置されている各フォトセンサ７１，７２，７３について詳細に説明する。可動体用フォトセンサ７１は、第一分割可動体３１に形成された検知部３１ｃが可動体用フォトセンサ７１の所定領域を通過することで原点位置を検出する。また、ストッパ用フォトセンサ７２は、切欠ギヤ４２に形成された検知部４２ａがストッパ用フォトセンサ７２の所定領域を通過することで原点位置を検出する。さらに、移動体用フォトセンサ７３は、第二ラック６２に形成された検知部６２ｂが移動体用フォトセンサ７３の所定領域を通過することで原点位置を検出する（図３、図６〜図８参照）。
【００８４】
このように、各フォトセンサ７１，７２，７３を備えると、動滑車１１が微小昇降移動し、可動体３０の自重により徐々に動滑車１１が上方へ移動するような場合でも、確実に各部材を初期位置へ復帰することができる。
【００８５】
また、実施例では可動体３０が斜め右方向に下降するようになっているが、定滑車１２をもう一つ備えることで移動方向を変え、上方から垂直に可動体３０を落下させることも可能である。
【００８６】
さらに、動滑車１１及び定滑車１２は軸とともに回転する仕組になっているが、溝部が形成されワイヤ１３が掛けられる部材であれば良く特に円形以外の形態にも適宜変更可能である。
【００８７】
また、可動体３０の移動ストロークを変化させるために動滑車と定滑車を複数組合わせることもでき、組合せは適宜変更可能である。
【００８８】
また、ワイヤ（巻掛部材）１３は、糸、紐、綱、ロープ、ワイヤロープ、ピアノ線、チェン、ベルト、ゴム等に適宜変更可能である。
【００８９】
以上の実施例では、遊技機用可動演出装置をパチンコ機に搭載する場合についてのみ説明したが、アレンジパチンコ等のその他の弾球遊技機は勿論、スロットマシンやパチスロ機等の回胴式遊技機、ポーカーゲーム機や雀球遊技機等の各種ゲーム機、等で実施してもよい。
【符号の説明】
【００９０】
１        パチンコ機（遊技機）
２        遊技盤
３        液晶表示部（可変表示手段）
５        可動演出装置（遊技機用可動演出装置）
１０      滑車装置
１１      動滑車
１２      定滑車
１３      ワイヤ（巻掛部材）
１４      誘導カバー
１５，３６，６４  誘導部材
１６      動滑車支持軸（移動中心軸）
１７      定滑車支持軸（固定中心軸）
２０      固定フレーム
２２      背面カバー
３０      可動体（分割可動体）
３１      第一分割可動体
３２      第二分割可動体
３３      第三分割可動体
４０      移動体
４１      ストッパ（係止部材）
４２      切欠ギヤ
５０      昇降部材（移動中継部材）
５１      モータピニオン
５２      ピニオン
６１      第一ラック
６２      第二ラック
７１      可動体用フォトセンサ
７２      ストッパ用フォトセンサ
７３      移動体用フォトセンサ
１００    センター役物
１１０    第一モータ（第一駆動源）
１２０    第二モータ（第二駆動源）
２００    ストローク拡大機構（中間伝達機構）
Ｏ１      移動中心軸線
Ｏ２      固定中心軸線
Ｏ３      ストッパ中心軸線
【図１】
0005497502.tif 000002
【図２】
0005497502.tif 000003
【図３】
0005497502.tif 000004
【図４】
0005497502.tif 000005
【図５】
0005497502.tif 000006
【図６】
0005497502.tif 000007
【図７】
0005497502.tif 000008
【図８】
0005497502.tif 000009
【図９】
0005497502.tif 000010
【図１０】
0005497502.tif 000011
【図１１】
0005497502.tif 000012
【図１２】
0005497502.tif 000013
【図１３】
0005497502.tif 000014
【図１４】
0005497502.tif 000015
【図１５】
0005497502.tif 000016
【図１６】
0005497502.tif 000017
【図１７】
0005497502.tif 000018
【図１８】
0005497502.tif 000019
【図１９】
0005497502.tif 000020
【図２０】
0005497502.tif 000021
【図２１】
0005497502.tif 000022
【図２２】
0005497502.tif 000023
【図２３】
0005497502.tif 000024
【図２４】
0005497502.tif 000025